Podtech/llm-jp-corpus-v4-ja_patent huggingface dataset:
(57)【要約】      （修正有）【課題】ＧＰＳを利用しない車載機を使ったバスロケーションシステムの提供により、大幅な導入時間の短縮と経費の極端な削減を実現することができるうえにＧＰＳ方式と同様のサービスの内容も維持することが可能になる。【解決手段】路線バスや送迎バスなどの移動体に車載機とスイッチを載せ停留所や指定されたポイントを通過するたびにスイッチを押すことで停留所の通過データが更新され移動体の位置情報として運行管理者や利用者に提供される。【選択図】図１
2008310790.tif 000002
【特許請求の範囲】
【請求項１】
路線バスや送迎バス等に機器を車載し運転手あるいは同乗する補助員が停留所を通過するタイミングでスイッチを押すと車載器の液晶画面で停留所名が更新され同時にＡＳＰ方式でサーバー側の該当する停留所名が更新され、インターネット通信網を介して運行管理のためのパソコン画面も内容の更新が行われ運行管理者は当該車両の現在位置をリアルタイムに把握することが可能になりまたバスの利用者は事前に個人所有の携帯電話やパソコンでホームページにアクセスし運行状況を確認したり自分の利用する停留所の数個前の停留所を任意に選択しサーバーに登録しておくことで指定された停留所の通過情報が自動的に時間表示とともにメールで届き、どこの停留所までバスが来ているかが事前にわかるのでタイムリーかつ効率的にバスを利用することができるシステムである．
【発明の詳細な説明】
【技術分野】
【０００１】本発明は専用車載機とサーバー、インターネット通信網、パソコン、携帯電話を用いたバスロケーションシステムである。
【背景技術】
【０００２】従来のバスロケーションシステムはＧＰＳを用い移動体の位置情報を緯度と経度で把握し、基地局で解析して地図上の停留所に当てはめ、インターネット通信網を利用してパソコンや携帯電話のホームページ上でバスの利用者や管理者にバスの位置情報を提供し効率的な運用や利用を促すものでものであるが国が主導で行なわなければならないほどインフラの整備や設備に費用がかかるもので実際に市民がその恩恵を受けるには何年かかるのかわからないほど大掛かりなものである。
【発明の開示】
【発明が解決しようとする課題】
【０００３】上記のＧＰＳを利用したシステムは国が主導で行っている程の大掛かりなものであるが本システムを導入することで大幅な導入時間の短縮と経費の極端な削減を実現することができるうえにＧＰＳ方式と同様のサービスの内容も維持することが可能になるものである。
【課題を解決しようとする手段】
【０００４】今までの人工衛星を使い位置情報を把握することでロケーションサービスを実施しようとしていた発想を変えて、停留所名という文字情報を移動体からダイレクトに発信して利用することで必要以上に多すぎた情報を整理し、最小限の情報を有効に利用するという発想の転換である。
【発明の効果】
【０００５】課題を解決するに十分な固有の効果を有するものであり、きわめて簡単、単純で安価でありながら利用価値の高い上質のものである。
【発明を実施するための最良の形態】
【０００６】図１はシステムの全体図であり、バスやトラックなどをはじめ車載可能な移動体からの信号をＡＳＰ方式で事務所のパソコンや個人の携帯電話に送る仕組み。
図２は車載する機器とスイッチ。
図３は運行管理用の管理画面の仕様。
図４は携帯電話やパソコンからのメールサービスを受信するための携帯電話登録画面。
現在は移動体の位置を文字情報として送信し利用する方式だが、今後ＧＰＳやＥＴＣなどもろもろのハイテク機器が量産され安価で利用できる環境が整った時点で停留所のある位置だけを人工衛星で把握し文字情報に置き換えて利用する方式に切り替えていくことで位置情報を得るために運転手がボタンを押す必要がなくなりよりシンプルになり得る。
【産業上の利用可能性】
【０００７】現在道路上を通行する移動体は渋滞や事故、雪害等の障害によって時間的に正確な運行を安定的に維持することは不可能な状態で、特に路線バスや送迎バスなど乗客を乗せるタイプの移動体においては日常的に大きな課題となっており、雪国のように極端な時間の遅れが雪害等で余儀無くされる地域ではそのことによるトラブルやストレスは誰もが一度は経験していることである。
運行ダイヤに則した正確な運行は無理であっても利用者が簡単にバスの位置がわかるということは道路状況や天候に左右されずに常に時間的に無駄なく効率的な利用が可能になるということであり、運行管理者にとってもパソコンの画面を見ているだけで車両の位置関係が把握できることは今までのように１台ごとに無線による確認作業や連絡をする必要がなくなり、利用者側と運行者側のミスマッチを解消し精度や利便性が向上することで産業上の利用可能性がある。
【図面の簡単な説明】
【０００８】
【図１】システム全体図である
【図２】車載機の平面図である
【図３】運行管理画面である
【図４】携帯電話の登録画面である
【符号の説明】
【０００９】Ａ  バス
Ｂ  トラック
Ｃ  サーバー
Ｄ  パソコン
Ｅ  利用者の携帯電話
Ｆ  車載機
Ｇ  スイッチ
Ｈ  運行されているバスのパソコンの管理画面
Ｉ  利用者の携帯電話の登録画面
Ｊ  利用者の携帯電話のバス停通過情報画面
【図１】
2008310790.tif 000003
【図２】
2008310790.tif 000004
【図３】
2008310790.tif 000005
【図４】
2008310790.tif 000006
(57)【要約】【課題】円柱状の物品の側面に印字された文字を認識できるようにする。その時なるべく機械的構造を簡単にし導入への弊害を最小限とする。【解決手段】図１に示す通り円柱状の物品１をすり鉢型の反射鏡２の中央に置き上部のカメラ３で円柱状物品１の上部と反射鏡２に投影された円柱状物品１の側面を撮影する。このとき照明４にて円柱状物品１の上部と側面を投光する。カメラに映し出された画像は反射鏡２が映す円柱状物品１の側面の文字は歪みや反転が生じるため図１のコンピュータ５のソフトウェアにより画像を補正し文字認識を行う。【選択図】図１
2008310783.tif 000002
【特許請求の範囲】
【請求項１】
円柱状の被検査品の上部および側面の文字を認識する装置。構成は被検査品の上部に位置するカメラ、被検査品斜め上部より被検査品の上部および側面を照らす照明、また被検査品の側面を反射により上部カメラで映像を捉えられる反射物、その映像信号を画像処理により文字認識するためのソフトウェアからなる。
【請求項２】
側面の文字を反射させる反射手段が逆円錐状またはすり鉢状のプリズムでその中央に被検査物を配置する方法の請求項１の円柱上部外周文字認識装置。
【請求項３】
側面の文字を反射させる反射手段が逆円錐状またはすり鉢状の反射鏡でその中央に被検査物を配置する方法の請求項１の円柱上部外周文字認識装置。
【請求項４】
側面の文字を反射させる反射手段が円柱状のプリズムでその中央に被検査物を配置する方法の請求項１の円柱上部外周文字認識装置。
【発明の詳細な説明】
【技術分野】
【０００１】本発明は円柱状の物品、たとえば瓶、ペットボトル、缶やキャップなどにおける上部、側面に刻印されている文字の正否を画像処理により判別するための検査装置に関するものである。
【背景技術】
【０００２】従来の円柱状の物品の側面に書かれている文字を画像処理で認識するためには円柱状の物品を横からカメラで撮影し画像処理にて文字を認識するしかなかった。この方法では円柱の横のカメラで捉えられる文字の長さに限度が生じる。【０００３】また、文字が書かれている側面をカメラ正面に向けなければならない為、円柱状の物品を回転させ文字がカメラ正面に向くよう位置決め機構が必要となった。
【発明の開示】
【発明が解決しようとする課題】
【０００４】従来の方法では物品を３６０度回転する機構が必要でコスト高となったり、複雑な機構となりメンテナンス性も悪くなる。【０００５】また文字の大きさに制限が生じ側面からのカメラに捉えられる文字が限界となる。【０００６】カメラ複数台で行う場合も同様にコスト面、メンテナンス面において悪化する傾向である。
【課題を解決するための手段】
【０００７】本発明は上記課題である複雑な機構を必要とせず、１台のカメラで円柱状物品の上部と側面に書かれている文字を認識するために側面全体を上部カメラで捉えられるよう円柱状物品の側面に反射機構を設置した。また、反射機構で映し出された画像は円柱状物品の上部側は幅広く歪み下部側は幅狭となる。および鏡に写ることにより文字事態反転となるため画像処理ソフトウェアで補正をかけ文字認識を行った。【０００８】反射機構は逆円錐状、およびすり鉢状のプリズムまたは反射鏡である。
【発明の効果】
【０００９】１台のカメラでしかも単純な機構で円柱状の上部、側面の文字を認識できるため安価でメンテナンス性に優れた文字認識検査装置が製造可能であり【００１０】機構が単純なので様々な生産設備に導入ができる。
【発明を実施するための最良の形態】
【００１１】本発明を実施するための形態は図１に示す通り円柱状の物品１をすり鉢型の反射鏡２の中央に置き上部のカメラ３で円柱状物品１の上部と反射鏡２に投影された円柱状物品１の側面を撮影する。このとき照明４にて円柱状物品１の上部と側面を投光する。【００１２】カメラに映し出された画像は図２の様に反射鏡２が映す円柱状物品１の側面の文字は歪みや反転が生じるため図１のコンピュータ５のソフトウェアにより画像を補正し文字認識を行う。【００１３】または、図２に示す通り反射機構を円筒状のプリズム２であっても同様である。
【産業上の利用可能性】
【００１４】本発明を利用することにより、たとえば円柱状製品の側面に記載されたシリアルＮＯやロットＮＯ、製品名称の判定や識別をすることができ異品種混入など出荷判定やロットＮＯによる出荷管理が行える。【００１５】また、本発明を利用することにより、たとえば円柱状食品の側面に記載された賞味期限の印字間違いや印字不良などの検査が行える。
【図面の簡単な説明】
【００１６】
【図１】本発明に係る機器の側面図（反射鏡については側面断面図）である。
【図２】本発明でのカメラで捉えた画像である。
【図３】本発明に係る機器の側面図（反射プリズムについては側面断面図）である。
【符号の説明】
【００１７】１  円柱状の物品（被検査品）
２  反射鏡
３  カメラ
４  照明
５  コンピューター
６  反射プリズム
【図１】
2008310783.tif 000003
【図２】
2008310783.tif 000004
【図３】
2008310783.tif 000005
(57)【要約】【課題】複数のパーソナルコンピュータに対して、オペレーティングシステムのインストールを自動的にで行うことにより、ＯＳのインストールを開始するまではＰＣの操作が不要で、人の手と時間を削減可能とする。【解決手段】ＰＸＥブート機能により、オペレーティングシステムインストールプログラムを呼び出す。そのインストールプログラムは、ハードディスクの構成を走査し可能であれば、パーソナルコンピューター起動時にオペレーティングシステムの構成ファイルを、パーソナルコンピューターのハードディスク上にコピーする。【選択図】  図１
2008310712.tif 000002
【特許請求の範囲】
【請求項１】
ネットワークを介してパーソナルコンピューター起動時に任意のプログラムを実行できるネットワークブートシステムにおいて、
オペレーティングシステムインストールプログラムを前記パーソナルコンピューターにダウンロードし実行する段階と、
前記パーソナルコンピューターのハードディスク構成を走査し、インストール可能な状態かどうか判断する構成判定部と、
インストール可能な状態であれば、オペレーティングシステム構成ファイルをＮＦＳサーバよりダウンロードし、コピーを行う構成ファイルコピー部とを備えたことを特徴とするオペレーティングシステム自動インストールシステム。
【発明の詳細な説明】
【技術分野】
【０００１】
本発明は、パーソナルコンピューター（以下、ＰＣと記す）にオペレーティングシステム（以下、ＯＳと記す）を自動的にインストールする為の、ＯＳのインストール方法に関するものである。
【背景技術】
【０００２】
従来、ＰＣにＯＳをインストールする方法として、ＣＤ−ＲＯＭ等の記録メディアを利用し、画面の指示に従って手動で行う方法が知られている。
【０００３】
また、ＯＳのインストール時に必要なユーザーの操作を自動化し、インストール開始から終了までを自動で行う方法が知られている（例えば特許文献1参照）。
【特許文献１】特開平７−３２５７０９号公報
【発明の開示】
【発明が解決しようとする課題】
【０００４】
しかしながらこれらの方法では、ＯＳのインストールを開始するまではＰＣの操作が必要であり、ＯＳをインストールするＰＣが複数になると、人の手と時間が多くかかってしまうという問題があった。
【課題を解決するための手段】
【０００５】
上記問題を解決する本発明は、ネットワークを介してのＰＣ起動時に任意のプログラムを実行できるＯＳ自動インストールシステムにおいて、ＯＳインストールプログラムを前記ＰＣにダウンロードし実行する段階と、前記ＰＣのハードディスク構成を走査し、インストール可能な状態かどうか判断する構成判定部と、インストール可能な状態であれば、ＯＳ構成ファイルをＮＦＳサーバよりダウンロードし、コピーを行う構成ファイルコピー部とを備えたことを特徴とするオペレーティングシステム自動インストールシステムである。
【発明の効果】
【０００６】
本発明によれば、電源を投入するなどしてＰＣを起動するだけでＯＳのインストールを自動で行うことが可能になった。従って、ＯＳのインストールを開始するまではＰＣの操作が不要となり、人の手と時間が削減可能となった
【発明を実施するための最良の形態】
【０００７】
以下、本発明の実施形態であるオペレーティングシステム自動インストールシステムについて図１と２を用いて説明する。
【実施例】
【０００８】
図１は、オペレーティングシステム自動インストールシステムの動作説明図で、図２は、本発明に係る実施例を表すオペレーティングシステム自動インストールシステムの全体構成図である。
図２において、符号1はＰＣ、符号２はアドレス取得要求に要求に応答して付与するＩＰアドレス等を返信するＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ、符号３はＴＦＴＰ（Ｔｒｉｖｉａｌ  Ｆｉｌｅ  ＴｒａｎｓｆｅｒＰｒｏｔｏｃｏｌ）によりファイルを転送するＴＦＴＰサーバ、符号４はＯＳの構成ファイルを保存してあるＮＦＳ（Ｎｅｔｗｏｒｋ  Ｆｉｌｅ  Ｓｙｓｔｅｍ）サーバであり、符号５のインターネット回線もしくはＬＡＮ回線に接続されている。
【０００９】
以下、図１に示すシーケンス図に従って、図２に示すオペレーティングシステム自動インストールシステムの動作を説明する。図１のシーケンス図に示すように、ＰＣは、電源投入されるなどして起動されるとＤＨＣＰサーバにＤＨＣＰ要求を送信して、ＩＰアドレス、ＴＦＴＰサーバーのアドレス等を取得する。
【００１０】
その情報を元にＴＦＴＰサーバにＴＦＴＰ要求を送信して、ＴＦＴＰサーバよりオペレーティングシステムインストールプログラムをＰＣ上にダウンロードする。
【００１１】
ダウンロードしたプログラムを起動して、ハードディスクの構成を検査する。
【００１２】
ハードディスクの構成に問題なければ、ＮＦＳサーバよりＯＳ構成ファイルを取得し、ハードディスクにコピーする。
【図面の簡単な説明】
【００１３】
【図１】システムの動作説明図である。
【図２】システムの全体構成図である。
【符号の説明】
【００１４】
１ａ・・・ＰＣ
１ｂ・・・ＰＣ
１ｎ・・・ＰＣ
２・・・ＤＨＣＰサーバ
３・・・ＴＦＴＰサーバ
４・・・ＮＦＳサーバ
５・・・ネットワーク
【図１】
2008310712.tif 000003
【図２】
2008310712.tif 000004
(57)【要約】【課題】従来の眼鏡はフレームにレンズを設置するもので一個人がその時点で視力に適合したものを作製するため、その後、視力が変化すると、レンズ交換や、新たに別のものを作製しなければならなかった。【解決手段】デジタル製品にして、デジタル機能を搭載したため、個人での調節が可能になり、あらゆる視力者が、あらゆる場面においても、あらゆる使用方法が可能になる【特許請求の範囲】
【請求項１】
デジタルビデオムービー、デジタルカメラ、携帯電話の機能を搭載したデジタル眼鏡システム
【請求項２】
操作方法は本体の操作部の他、リモートコントロール装置により、操作する事が可能
【発明の詳細な説明】
【技術分野】
【０００１】  本発明は、デジタル化した眼鏡に関する。
【背景技術】
【０００２】  従来の眼鏡はフレームにレンズを設置したものである。
【発明の開示】
【発明が解決しょうとする課題】
【０００３】  従来の眼鏡は、個人が、その時点で、適合する様に作製し、視力が変化すると、レンズ交換、或いは使用不可能となる。
【０００４】  本発明は、デジタル機能をもって、従来の問題を解決しょうとするものであり、弱視者のみで、なく、あらゆる個人が、あらゆる場合に、あらゆる使用を可能にするものである。
【課題を解決するための手段】
【０００５】  マクロモードを含むズーム機能を操作する過程で、個人の視力に適合した時点で設定ロックし、これを基本視点とする。この設定ロックは解除し、設定し直す事が可能で、幾つか、この様な設定点を設ける様にし遠近両用を実現、又、乱視者に対応するため、左右独立して設定が加能とする。
【０００６】  上記解決手段により、従来、視力の変化にともない、何らかの手立てを取らなければならない事が、個人の操作で簡単に設定し、使用続行が可能になる。
【発明の効果】
【０００７】  本発明のメガネは、１つで乱視、遠視、近視、老眼に対応する事が出来る。
【０００８】  また、普通視力者も使用が可能である。
【発明の実施するための最良の形態】
【０００９】  日常品であるメガネの電源を確保するため、内蔵電池や外部電池、又、ＵＳＢ接続ケーブルを介して、パーソナルコンピューターや、コンセントから充電可能とする。
【００１０】  雨天、又は入浴時に対応するため、生活防水機能にする。
【００１１】  明るい場所や、暗い場合に対応するため、暗視カメラ機能、サーチライト機能、又、セピアモードや白黒モードを自然の色に近付け、サングラスモード機能を搭載させる。
【００１２】  緊急時に対応させるため、リモートコントロール装置からも充電可能とする
【００１３】  本発明で撮影した、映像や画像は、内部メモリー又、外部メモリーメディアにて記録する事が出来る。
【００１４】  本発明で撮影した映像や画像は、パソコンや携帯電話に接続、或いは単体で、ＢｌｕｅｔｏｏｔｈＴＭや赤外線通信、ＵＳＢ接続ケーブルやメールを介して転送する事が出来る。
【００１５】  ナビゲーション機能を使用し、現在地や目的地までの地図を映像として映す事が可能とする。
【００１６】  リラクゼーション画面機能を搭載し、眼球や視神経をリラックスさせる映像を映す事が可能とする。
(57)【要約】【課題】玄関ポーチや庭先で発生したコケ、カビ汚れや壁面の水垢汚れなどを洗浄するに際し、使用が簡便で十分な洗浄力を有し、また壁などの垂直面に対しても洗浄剤が汚れにしっかり作用するように垂れ流れの少ない泡状のスプレー式屋外洗浄剤を提供する。【解決手段】(A)リンゴ酸１〜１０重量％、(B)非イオン界面活性剤１〜５重量％、(C)両性界面活性剤０．５〜５重量％、(D)ポリアクリル酸ソーダ０．５〜３重量％と水（全体で１００重量％）を含有し、ｐHが３．１〜４．２でスプレー式容器に充填して使用する泡状のスプレー式屋外用洗浄剤である。【選択図】  なし【特許請求の範囲】
【請求項１】
(A)リンゴ酸１〜１０重量％、(B)非イオン界面活性剤１〜５重量％、(C)両性界面活性剤０．５〜５重量％、(D)ポリアクリル酸ソーダ０．５〜３重量％と水（全体で１００重量％）を含有し、ｐHが３．１〜４．２であることを特徴とする泡スプレー式屋外用洗浄剤。
【発明の詳細な説明】
【技術分野】
【０００１】
玄関まわりや庭先まわりで発生したコケ、カビ汚れや水垢汚れなどを洗浄する際に使用が簡便なスプレー容器に充填して使用される洗浄剤組成物であり優れた洗浄力を有し、壁面などの垂直面でも洗浄剤が汚れにしっかりと作用するように垂れ流れの少ない泡状のスプレー式屋外用洗浄剤に関するものである。
【背景技術】
【０００２】
玄関まわりや家まわりで発生したコケ、カビ汚れや水垢汚れに対してはジェット洗浄機などの強い水圧で洗い流すケースや市販されている専用洗剤が極端に少ないために、塩素系漂白剤や台所用洗剤を代用するケースが多い。ただしジェット洗浄機では簡便性に欠け、塩素系漂白剤は塩素臭による不快感やむせかえり、植木などへの影響が懸念される。台所用洗剤のようなものでは満足いく洗浄効果を得ることは困難である。
これらの問題点を考慮し洗浄力を目的として有機酸と特定の酸及び界面活性剤を組み合わせた
外壁用洗浄剤（特許文献１参照）も提案されている。
【特許文献１】特開平１０−３０６３００号公報
【発明の開示】
【発明が解決しようとする課題】
【０００３】
しかしながら、この外壁用洗浄剤では壁面に使用した際に、洗浄成分が垂れ流れて汚れへの作用が不十分であることやアルカリ液での中和処理が必要であるため簡便性に欠ける。
本発明では上記のような実情から手軽に使用でき、優れた洗浄力を有し、且つ壁面などの垂直面でも洗浄剤が汚れにしっかり作用するように垂れ流れの少ない泡状のスプレー式屋外用洗浄剤を提供することを課題とする。
【課題を解決するための手段】
【０００４】
本発明者らは上記目的を達成するため検討を重ねてきた結果、リンゴ酸、非イオン界面活性剤、両性界面活性剤及びポリアクリル酸ソーダを特定の比率で配合することにより優れた洗浄力を有し、しかもスプレー時に泡状になることで垂直面において垂れ流れが少ない泡スプレー式屋外洗浄剤の開発に至った。
【０００５】
すなわち、本発明は、(A)リンゴ酸１〜１０重量％、(B)非イオン界面活性剤１〜５重量％、(C)両性界面活性剤０．５〜５重量％、(D)ポリアクリル酸ソーダ０．５〜３重量％と水（全体で１００重量％）を含有し、ｐHが３．１〜４．２であることを特徴とする泡スプレー式屋外用洗浄剤を提供するものである。
【０００６】
本発明で用いられる成分（Ａ）のリンゴ酸の配合量は組成物全体に対して１〜１０重量％であり、好ましくは３〜７重量％である。この量が少ないと酸洗浄効果及びキレート効果が発揮されない。多すぎるとｐＨが低くなりすぎて外壁素材や植木などに悪影響がでる可能性がある。
【０００７】
成分（Ｂ）の非イオン界面活性剤としては通常液体洗浄剤に使用されるものでよく、例えばポリオキシエチレンアルキルエーテル、脂肪酸アルカノールアミド、アミンオキシドなどが挙げられる。これらの中でも特にポリオキシエチレンアルキルエーテルが好ましく、組成物中に1〜５重量％配合され、好ましくは１．５〜３．５である。この量が少ないと効果的な洗浄性を発揮できず、多すぎても改善点はなく、経済的に不利益である。
【０００８】
成分（Ｃ）の両性界面活性剤としては例えばアルキルカルボキシベタイン型、アルキルアミノカルボン酸型、アルキルイミダゾリン型などが挙げられる。これらの中ではアルキルカルボキシベタイン型が好ましく、組成物全体に対して０．５〜５重量％配合される。
成分（Ｂ）と成分（Ｃ）の好ましい配合比率は、重量比で、成分（Ｂ）：成分（Ｃ）＝２．５：１〜１：１である。成分（Ｃ）の量が少ないとスプレーしたときの泡立ちが悪く、多すぎても泡立ちの改善が見られず経済的に不利益である。
【０００９】
成分（Ｄ）のポリアクリル酸ナトリウムの分子量は好ましくは５０００〜１００００であり、配合量は組成物全体に対して好ましくは０．５〜３重量％である。
（Ｂ）成分＋（Ｃ）成分と成分（Ｄ）との好ましい配合比は、重量比で、（Ｂ）成分＋（Ｃ）成分：（Ｄ）成分の比率＝５：１〜２：１である。
成分（Ｄ）の配合量が少なすぎても多すぎても泡の付着性が悪くなり、垂直面で洗浄剤と汚れの接触時間が充分にとれない。
【００１０】
本発明の洗浄剤組成物のｐＨは３．１〜４．２であることを必要とする。ｐＨが低すぎると安全性の面で問題があり好ましくない。ｐＨが高すぎると十分な洗浄効果が得られない。ｐＨを調整する手段としてはリンゴ酸、クエン酸又はそれらの塩類を用いることが好ましい。
【００１１】
また本発明洗浄剤組成物には香料、染料、防腐剤、殺菌剤、再付着防止剤その他の目的に応じた添加物を適宜に加えることができる。
【発明の効果】
【００１２】
本発明のスプレー式屋外用洗浄剤は使用が簡便で、十分な洗浄力を有し、且つ垂直面でも泡が垂れ流れずに汚れへ作用し効率よく洗浄することができる。
【発明を実施するための最良の形態】
【００１３】
以下に実施例を挙げて本発明を具体的に説明する。ただし、本発明はこれらの実施例に限定されるものではない。
【００１４】
実施例１〜２、比較例１〜６
表１に示す組成の洗浄液を調整し、泡スプレー式容器に充填した。これらの実施品および比較品を用いて（１）洗浄力、（２）泡付着性を評価した。評価方法は以下の通りである。
【００１５】
（１）  洗浄力：屋外のコケ、カビ汚れが付着した壁面においてサンプルの洗浄評価を実施した。洗浄評価は汚れに対してサンプルを適量噴霧し、10〜15分放置した。その後、壁面を軽くブラシでこすりながら水洗いした後、汚れ除去性を下記基準で目視判定した。
○ ・・・汚れがほぼ落ちた
△  ・・・汚れが一部残った
×  ・・・汚れがほとんど落ちなかった
【００１６】
（２）  泡付着性：垂直に立てかけた一辺２０ｃｍの正方形アクリル板の中心部分に向かってサンプルを１回噴射した。１０秒後にアクリル板に残っている泡の重量から下記の式を用いて付着率を算出した。
【数１】
2008106116.tif 000002
【表１】
2008106116.tif 000003
【００１７】
表１から判るように、実施例の液体洗浄剤サンプルはいずれの項目においても良好な結果を示した。
(57)【要約】【課題】  近年地球規模の異常気象が多発し、わが日本国においても水害、洪水が多く見られる。先日国土交通省からの発表によれば浸透破堤の危険のある堤防は日本全土の３６％にも及ぶとの事である。補強工事は急務な事と云われるが、予算のこと工事日数のこともあり、早急の解決は難しいのではないかと推察される。【解決手段】  堤防の上面を深く溝状に掘削し、その残土に粘質の土などを混合した土を土嚢袋に詰め土嚢として掘削した穴に埋め戻す。この方法によれば工事期間は短く工事材料も少なくてすむし、残土などのあと処理も少ない。【選択図】図１
2008106586.tif 000002
【特許請求の範囲】
【請求項１】
河川堤防の浸透破堤の防護策として堤防を第１図の様に掘削し、掘削部分に土嚢を充填し、水の浸透を阻止し破堤を防止する。
【発明の詳細な説明】
【技術分野】
【０００１】本発明は河川堤防の浸透破堤防の防止を目的とした補強構造である。
【背景技術】
【０００２】河川流域の豪雨などによる川の水位の上昇で堤防内部に浸み込んだ水が、水の通り道を形成し、水と共に堤防が崩壊する現象を堤防の浸透破堤と云う。【０００３】この対策として、従来は（１）盛土で堤防巾を拡大（２）堤防斜面に遮水シ−トを張り水の浸透を防止する等である。（３）その他（特許文献１）などもある。【非特許文献１】中日新聞２００６／９／２９朝刊記事
【非特許文献２】土木工学ハンドハンドブック下巻  土木学会編
【特許文献１】特開２００６−２１４１４５（Ｐ２００６−２１４１４５Ａ）
【従来の工法の問題点】
【０００４】（１）堤防の拡幅工事方法として一番基本的な方法である。しかし用地の確保、現場での適用の是非の問題。（２）堤防斜面に遮水シ−トを張る方法。これはあくまで一時的な処置であり、恒久的で耐久性ある処置とは云いがたい。（３）浸透破堤防止機能を持つた堤防の補強構造に関する発明も報告されている。確実な構造であると認識するが緊急時に適用するには工期のことなどで難がある。
【発明の開示】
【発明が解決しようとする課題】
【０００５】近い将来、豪雨や洪水で多大の被害の予想される地区などは一刻も早い補強工事が切望される。【０００６】補強工事は急務な事と云われるが、予算のこと工事日数のこともあり、早急の解決は困難なのではないかと推察される。
【解決手段】
【０００７】（図１）のように堤防の上面を深く溝状に掘削し、その残土に粘質の土などを混合した土を袋に詰め土嚢とし、掘削した穴に埋め戻す。この方法によれば工事期間は短く工事材料も少なくてすむし、残土などのあと処理も少ない。
【発明の効果】
【０００８】（１）工事が簡単。（２）工事材料は土嚢袋、粘質土、凝固材など。（３）工事廃材も少なく、環境にも優しい。（４）工事期間は短く、費用も僅少。（５）緊急時の応急措置としても有用。
【発明を実施するための最良の形態】
【実施例】
【０００９】（図２）のように掘削穴の両壁に相当する部分に若干の角度（逆八の字形に上方を広げる）をつけて、鋼矢板を掘削作業まえに打ちこんでおく。【００１０】この事で掘削作業の安全性は上がり、堤防がより強固になる。【００１１】通常水圧に対して土嚢はその重量と底面の水平摩擦力によって水の圧力を阻止できる。故にただ堤防上又は斜面に土嚢を並べただけでは水圧に対して強力な抑止力とは成り得ない。【００１２】しかし本発明によれば、土嚢は掘削穴に埋め戻された状態にあるので水平の移動は強固に固定される。【００１３】また土嚢袋の繊緯は地中に埋まり、太陽光や空気に無関係なので、風化とは無縁とり、長期の使用に耐えうることとなる。【００１４】以上の理由により水圧には強固に抵抗し浸透を防ぎ長期にわたり、その性能を維持きるものと信ずる。
【図面の簡単な説明】
【００１５】
【図１】本発明の実施形態を示す河川堤防の断面図
【図２】発明を実施するための最良の形態の堤防の断面図
【符号の説明】
【００１６】１    川の水面２    堤防の本体３    掘削部分４    土嚢５    鋼矢板
【図１】
2008106586.tif 000003
【図２】
2008106586.tif 000004
(57)【要約】      （修正有）【課題】車止めを固定するアンカーピン、即ち固定ピンの構成をより簡単な構成としてコストを下げ、普及を図ることを目的とする。【解決手段】略直方体状をなす車止めブロック4の長手方向両端付近にそれぞれ一個ずつの透孔5を構成し、該透孔5を上に拡がる漏斗状として形成する。これに先端を尖鋭とし、又は平坦とした棒状をなす固定ピン1を挿通する。又、該固定ピン1には外径を前記透孔5の変化する孔径の或る部位で大となる寸法とするゴム等からなる比較的肉厚大なるドーナツ状ブロック3を圧入する。これに対して前記固定ピン1の頭部とドーナツ状ブロック3の上面に遊嵌する有底パイプ状をなす先端部を有する打撃工具で設置床面に打ち込む構成とするものである。【選択図】図１
2008106587.tif 000002
【特許請求の範囲】
【請求項１】
略直方体状をなす車止めブロックの長手方向両端付近にそれぞれ一個ずつの透孔を構成し、該透孔を上に拡がる漏斗状として形成し、これに先端を尖鋭とし、又は平坦とし、棒状をなす固定ピンを挿通すべくなし、該固定ピンに外径を前記透孔の変化する孔径の或る部位で大となる寸法とするゴム等からなる比較的肉厚大なるドーナツ状ブロックを圧入し、これに対して前記固定ピンの頭部とドーナツ状ブロックの上面の段差寸法の径方向に遊嵌する有底パイプ状をなす先端部を有する打撃工具で設置床面に打ち込むことを特徴とする車止めブロック固定ピン。
【発明の詳細な説明】
【技術分野】
【０００１】    本発明は、駐車場の床面に設置される車止めブロックを固定するピンの構造に関る。
【背景技術】
【０００２】    従来、略直方体状をなす車止めブロックの長手方向両端付近にそれぞれ一個ずつの透孔を構成し、該透孔に合わせて頭にねじを有するアンカーピンを床板に植設し、これに抜け止めとなるナットを螺合、又は、長ボルトからなるアンカーピンを床板に打設し、この状態で該透孔の空隙部にモルタルを注入して床板に固定する構成があり、【０００３】    更に、該アンカーピンの頭部にストッパーとなる膨大部を有し、且、該膨大部の上に打ち込み作業時に使用する補助具のパイプをガイドする突部を有し、且、該アンカーピンの膨大部の下面に接して外径を透孔の変化する孔径の或る部位で大となる寸法とするゴム等からなる比較的肉厚大なるドーナツ状ブロックを挿入してなる構成が提案されている。（特許文献１参照）
【特許文献１】特開２００６−２００３３６号公報
【発明の開示】
【発明が解決しようとする課題】
【０００４】    本発明の目的とするところは、車止めを固定するアンカーピン、即ち固定ピンの構成をより簡単な構成としてコストを下げ、普及を図ることを解決すべき技術的課題とする。
【課題を解決するための手段】
【０００５】    上記課題を解決するための技術的手段は、略直方体状をなす車止めブロックの長手方向両端付近にそれぞれ一個ずつの透孔を構成し、該透孔を上に拡がる漏斗状として形成し、これに先端を尖鋭とし、又は平坦とし、棒状をなす固定ピンを挿通すべくなし、該固定ピンに外径を前記透孔の変化する孔径の或る部位で大となる寸法とするゴム等からなる比較的肉厚大なるドーナツ状ブロックを圧入し、これに対して前記固定ピンの頭部とドーナツ状ブロックの上面の段差寸法の径方向に遊嵌する有底パイプ状をなす先端部を有する打撃工具で設置床面に打ち込む構成とするものである。
【発明の効果】
【０００６】    以上のごとき構成とするため、主体をなす固定ピンそのものは単純な丸棒の一端の先端を尖鋭とし、又は平坦とし、（他端は平坦状）これに特定の深さで外径を前記透孔の変化する孔径の或る部位で大となる寸法とするゴム等からなる比較的肉厚大なるドーナツ状ブロックを圧入してなるものであり、このため、丸棒に段付部を設けて余分な材料費を要することなく、旋削加工を行うことなく安価に提供することが出来るものであり、打ち込み作業に於いても遊嵌する有底パイプ状をなす先端部を有する打撃工具で設置床面に打ち込む構成とするため、ドーナツ状ブロックは共に無理なく圧入されるものであり、強固に床面に固定される効果がある。
【実施例１】
【０００７】    本発明の実施例を図面に基ずいて説明する。図１に於いて１は一端を尖鋭２とした丸棒状の固定ピン、３は該固定ピン１に圧入されたゴム製ドーナツ状ブロック、４は車止めブロック、５は該車止めブロック４に設けた上に拡がる漏斗状をなす透孔、６は固定ピン１に遊嵌する有底パイプ状をなす先端部７を有する打撃工具を示し、図２に於いて作業途中状態で８は床板部、図３に於いて完成状態で９は化粧キャップ、図４に於いては先端を平坦部１０とした固定ピン１１を示す。
【産業上の利用可能性】
【０００８】
【図面の簡単な説明】
【０００９】
【図１】本発明を実施した固定ピン、打設時に使用する一部を切除した打撃工具、及び車止めブロックの一部を切除した斜視図。
【図２】図１の作業途中を示す正面断面図。
【図３】図１の設置完了状態を示す正面断面図。
【図４】図１の固定ピンの別の実施例を示す斜視図。
【符号の説明】
【００１０】    １、固定ピン
２、尖鋭部
３、ゴム製ドーナツ状ブロック
４、車止めブロック
５、透孔
６、打撃工具
７、先端部
８、床板部
９、化粧キャップ
１０、平坦部
１１、固定ピン
【図１】
2008106587.tif 000003
【図２】
2008106587.tif 000004
【図３】
2008106587.tif 000005
【図４】
2008106587.tif 000006
(57)【要約】【課題】    トラップ機能を備える配水管端装着具に逆流防止機能を与える。【解決手段】    下部閉塞壁３３は仕切り体１８の下部の出口２５方向に位置し、シート面３１と孔３５とを有し、孔３５の上部にはトラップ１５が満水の場合は浮力によりフロート３２がシート面３１から離れ、渇水の場合にはフロート３２がシート面３１に密着するように形成されている。【選択図】図１
2008106588.tif 000002
【特許請求の範囲】
【請求項１】
排水トラップの下流側から上流側への逆流を停止する弁であって、排水器具の内部である通水部にシート面を有し、そのシート面の上方に球状のフロートを有し、排水の流水時にはその浮力でフロートがシート面から離れて排水の妨げにはならず、水が排水トラップ内にない場合にはシート面に密着することにより下水管内からの臭気の逆流や虫などの侵入を防止することを可能とする逆流防止機能を有する配管端装着具。
【発明の詳細な説明】
【技術分野】
【０００１】本発明は配水管の下流側の貯水槽からの臭気を遮断する排水トラップに関する。
【背景技術】
【０００２】  従来の配水管においては、配水管をＳ字にすることにより排水トラップに溜まった排水により、配水管の下流側に位置する排水の貯水槽と配水管の上流側とを遮断し、排水の貯水槽から配水管の上流側への臭気の流出を防止すべく、配水管には排水トップ機能が備えられている。
また、排水トラップ機能を有しない配水管においては、既存の配水管に装着することにより排水トラップ効果を生じさせる、配水管端装着具が開発されている（例えば、特許文献１参照）。【０００３】  以下、図２、図３によりトラップ機能を有する配水管端装着具について説明する。図において、配水管端装着具は上端に外方張出フランジ４を有し、且つ、内周面下部に内方張出縁５を有する環状の装着具本体３と、この装着具本体３の内方張出縁５に上端に設けられた外方張出縁１２が載せられた排水トラップ８と、装着具本体３の上部に嵌まる天板２７とを有しており、前記排水トラップ８が、上端に前記外方張出縁１２が設けられた上面開放の有底筒状のトラップ本体９と、このトラップ本体９内を入口側室１５と出口側室１６とに区画する仕切り体１８とを有しており、前記仕切り体１８の垂下壁２０の下縁より上方に位置するようにして出口側室１６を形成するトラップ本体９の側周壁１１に出口２５が形成されている。【０００４】
【特許文献１】  特許願  第１１８３４１号
【発明の開示】
【発明が解決しようとする課題】
【０００５】  以上に述べた従来の配管端装着具ではトラップ本体９に排水などの液体物が充満している場合には排水トラップ効果を機能せしめることになる。しかし、トラップ本体９に充満していた液体物が蒸発等で消滅した場合には排水トラップ効果を機能せず、排水の貯水槽から臭気や貯水槽に発生した虫等が配水管を伝ってくることになる。【０００６】  エアーコンディショナーにおいては、室内を除湿する場合に水蒸気が凝結して水となり、これを室外に排出する排水管が装備されており、その配水管にも排水トラップ機能が施されてはいる。夏場の除湿機能が働く場合については排水トラップに水が充満に排水トラップ機能を生じるが、除湿機能を生じない冬場やエアーコンディショナーの作動停止時においては排水トラップに充満されていた水が蒸発し、室外の空気や虫がエアーコンディショナーの配水管を伝わって室内へ侵入してくることになる。通常、この配水管は下水へ流すため、下水からの悪臭が室内に侵入することになるのである。【０００７】  本発明は、このような排水トラップに充満すべき水が消滅しても、排水の貯水槽からの臭気や虫などの侵入を阻止するものである。
【課題を解決するための手段】
【０００８】  そして、本発明は上記目的を達成するために配水管において、排水トラップの下流側に逆流防止弁を設けたものである。すなわち、  配水管に、排水トラップの下流側に通水を停止する弁であって、排水器具の内部である通水部にシート面を有し、そのシート面に逆流防止弁の閉止弁となるフロートが密着することにより配水管内の逆流を防止することを可能とする逆流防止弁を設けたものである。【０００９】  通常、逆流防止弁を上水道に使用する場合は通水圧力の損失を最小限に抑えるため、通水時の弁体の作動圧力は最小限に規定されているが、上水道の流動圧力により逆流防止弁の弁体を作動させるものであり、本発明の技術分野である排水設備への利用についてはその逆流防止弁を作動させるだけの十分な作動圧力を期待することができない。【００１０】  本発明の逆流防止機能は比重が水よりも小さなフロートを逆流防止弁の弁体とし、逆流防止弁の上流側ハウジングに水が充満している場合には弁体であるフローとはその浮力により逆流防止弁のシート面から離れることなる。これにより通水可能となるための流水方向への逆流防止弁の作動に必要な流水圧力が不要となる。
【発明の効果】
【００１１】  上述のとおり、本発明の防臭用排水トラップは排水トラップ内の貯水の有無に関らず、排水トラップの作用である、防臭及び防虫機能を備え、なお且つ排水の流水に対しいかなる流水圧力を必要とはしない。従来の逆流防止弁では流水量の作動圧力が小さい場合、すなわち、排水の流水量が小さい場合には逆流防止弁のシート面と閉止弁との間隔が小さく、排水中のごみなどの異物が逆流防止弁のシート面と閉止弁との隙間に挟まっている場合に排水トラップ内の貯水がなくなってしまった場合には防臭機能を十分に果たすことができないことになる。これに対し、本発明のフロートによる逆流防止機能においては十分な流水量を確保することができ逆流防止機能の妨げとなる小さなごみなどは逆流防止弁のシート面と閉止弁との間に留まることなく流れて行き、逆流防止機能に影響を及ぼすことはないことになる。【００１２】  また、上述の排水管端装着具に採用した場合には防臭用排水トラップの取り外しが容易であり、日常の手入れの際に逆流防止弁のシート面と閉止弁であるフロートを清潔に保つことが簡便となるのである。
【発明を実施するための最良の形態】
【００１３】  以下、本発明の実施の形態を図１に基づいて説明する。【００１４】  図においては、３１は逆流防止弁のシート面で、３２は逆流防止弁の閉止となる球状のフロートであり、排水トラップ１５が満水の場合は浮力によりフロートはシート面から離れており、流水方向への通水が確保され、渇水の場合はシート面にフロートが密着した状態になり、逆流防止状態になり、排水トラップ上流側と下流側が遮断され、下流側の臭気や虫などの上流側への侵入を防ぐことになる。
【図面の簡単な説明】
【００１５】
【図１】  本発明の実施形態を示す縦断面図である。
【図２】  図１のＩ−Ｉ線に沿う一部破砕の断面図である。
【図３】  特許文献１で開示された配水管端装着具の縦断面図である。
【図４】  図３のＩＩ−ＩＩ線に沿う一部破砕の断面図である。
【符号の説明】
【００１６】  ３１      シート面
３２      フロート
【図１】
2008106588.tif 000003
【図２】
2008106588.tif 000004
【図３】
2008106588.tif 000005
【図４】
2008106588.tif 000006
(57)【要約】【課題】  車道面に降った雨水を地中浸透させるためには車道面にある汚れ物質を、雨水と分離してから、きれいな雨水のみを地中浸透させえる。【解決手段】  車道面上にある汚れ物質は、グレーチングの隙間で通す一段目フィルターで濾過するがこれだけだは不充分のため、網目を通す２段目フィルター、スポンジ状の中を通す３段目フィルターを設けることで解決した。【選択図】図１
2008106585.tif 000002
【特許請求の範囲】
【請求項１】
雨水浸透車道縁石ブロックのフィルター構造において、（特願２００５−１４１７８３）グレーチング蓋自身にフィルター（以下１段目フィルター構造と呼ぶ）機能を設けたが、本発明はグレーチング蓋から下側内部においてのフィルター構造である。グレーチング蓋の長形開口部から入ってくる、雨水、木の葉や、砂、土の微粒子物質対して内部にフィルター２段構成で受ける。２段目フィルター構造は板状網目フィルターの穴径は砂を通すことが出来ます、木の葉や砂の大きい物は止める穴径となり、板状網目フィルター設置は歩道側が低く、車道側が高い傾斜面を持って設置される、３段目フィルターは、上部の板状網目フィルターより通過してきた雨水や砂と微粒子状物質を受けるスポンジ状材質で構成され、形状はＬ字型形状となります、降水量の少ない時の初期雨水はスポンジ状の中を通過させて、下側に流下する、降水量の大きい大雨のときはＬ字形状の開口部よりオーバーフローさせて、雨水を流下させることを特徴とする雨水浸透車道縁石ブロックのフィルター構造。
【発明の詳細な説明】
【技術分野】
【０００１】  本発明は、車道面に降った雨水を下水道管に流下させないで、雨が降った場所で雨水を地中浸透させる雨水浸透車道縁石ブロックの中に設置するフィルター構造に関する。
【背景技術】
【０００２】  従来は車道面に降った雨水は（特願２００５−１４１７８３）グレーチング蓋表面のフィルター構造通り、雨水は雨水浸透車道縁石ブロックの中に流下させる構造である。
【発明の開示】
【発明が解決しようとする課題】
【０００３】  前期のグレーチング蓋のフィルター機能はグレーチング蓋の表面に沈殿池と長形開口部を利用して開口部巾よりおおきな形状物を止める１段目フィルター構造を設けたが、晴天の日に風によって移動する砂や土の微粒子物質がグレーチング蓋の長形開口部より中に入ってくる、次に雨水流入により車道縁石ブロックから雨水を地中浸透させることで、地中土質面に微粒子物質が入り、水の浸透作用を止める目詰を発生させる原因となる。
本発明は縁石ブロックの中に入ってきた砂や土の微粒子物質など目詰を発生させる物質を縁石ブロックの中に設けた２段構成のフィルター構造により水と物質を分離させるフィルターを提供することにある。
【課題を解決するための手段】
【０００４】  本発明は上記目的を達成するために、グレーチング蓋の長形開口部巾の間から入ってきます、雨水、木の葉や、砂、土の微粒子対して内部にフィルター２段構成で受ける、２段目フィルター構造は板状網目フィルターで網目の穴径は砂を通すことが出来ます、木の葉や砂の大きい物は止める穴径となります、板状網目フィルター設置は歩道側が低い、車道側が高い傾斜面を持って設置される、３段目フィルターは、上部の板状網目フィルターより通過してきた雨水や砂と微粒子状物質を受けるスポンジ状材質で構成され、形状はＬ字型形状となります、降水量の少ない時の初期雨水はスポンジ状の中を通過させて、下側に流下する、降水量の大きい大雨のときはＬ字形状の開口部よりオーバーフローさせて、雨水を流下させることを特徴とする雨水浸透車道縁石ブロックの２段構成のフィルター構造より上記の課題を解決した。
【発明の効果】
【０００５】  車道表面に降ってくる雨は、初期雨水時は車道面の汚れを含んだ雨水となりますが、これ以外に風によって移動した砂や微粒子状物質がグレーチングの開口部より入ってきているため、初期雨水だけフィルター構造にかけるのだけでなく、風により搬入する物質対策を内部に２段構成のフィルターを設けた事により雨水と物質を分離させる効果がある。
【発明を実施するための最良の形態】
【０００６】  以下、本発明の実施の形態を図１−４に基づいて説明する。
図１は雨水浸透車道縁石ブロックの３段構成フィルター断面図を示す。
雨水浸透車道縁石ブロック６の表面は車道面８側高く、歩道面１側は低くグレーチング蓋１段目フィルター構造５は傾斜設置されます、車道面８に降った雨は、グレーチング蓋１段目フィルター構造５を通りグレーチング開口部４より、内部に雨水は流下していく、流下して来た雨水は２段目板状網目フィルター３を通り、３段目スポンジ状フィルター７を通り、雨水は車道縁石ブロック底部開口部９の中に入り、歩道側の採石１４の中に雨水は浸透していきます。【０００７】  図２は雨水浸透車道縁石ブロツク正面図を示す。
グレーチング蓋１段フィルター構造５の下に、２段目板状網目フィルター３を設置して、その下に３段目スポンジ状フィルター７を設置します、２段目板状網目フィルター３と、３段目スポンジ状フィルター７と同じ場所に板状網目フィルター開口部１１とスポンジ状フィルター開口部１３を設けます。【０００８】  図３は２段目板状網目フィルター図を示す。
板状網目フィルター１５構成となり、２段目板状網目フィルター３はグレーチング蓋１段目フィルター構造５のグレーチング開口部４より、風などにより移動してきた砂や土の微粒子物質を２段目板状網目フィルター３で止める、雨水は２段目板状網目フィルター３を通りますが、２段目網目フィルター３は歩道側が低く車道側が高くなるように傾斜設置されているため、初期雨水は歩道側の板状網目フィルター１５側を通り、３段目スポンジ状フィルター７に流下していく、大雨の時は板状網目フィルター１５より通過しきれなかった雨水は板状網目フィルター開口部１１より直接車道縁石ブロック底部開口部９に流下していく。【０００９】  図４は３段目スポンジ状フィルター図を示す。
３段目スポンジ状フィルター７は、２段目板状網目フィルター３の板状網目フィルター１５より流下してきた雨水を３段目スポンジ状フィルター７より受けて、初期雨水はスポンジ状の中を通り流下していく、大雨の時はスポンジ状の中を通過できなかった雨水はスポンジ状フィルター土手１２を超えて雨水はスポンジ状フィルター開口部１３より、車道縁石ブロック底部開口部９に雨水は流下していく。
【図面の簡単な説明】
【００１０】
【図１】雨水浸透車道縁石ブロックの３段構成フィルター断面図。
【図２】雨水浸透車道縁石ブロック正面図。
【図３】２段目板状網目フィルター図。
【図４】３段目スポンジ状フィルター図。
【符号の説明】
【００１１】１．歩道面
２．歩車道ブロック
３．２段目板状網目フィルター
４．グレーチング開口部
５．グレーチング蓋１段目フィルター構造
６．雨水浸透車道縁石ブロック
７．３段目スポンジ状フィルター
８．車道面
９．車道縁石ブロック底部開口部
１０．車道縁石ブロック基礎
１１．板状網目フィルター開口部
１２．スポンジ状フィルター土手
１３．スポンジ状フィルター開口部
１４．砕石
１５．板状網目フィルター
【図１】
2008106585.tif 000003
【図２】
2008106585.tif 000004
【図３】
2008106585.tif 000005
【図４】
2008106585.tif 000006
(57)【要約】【課題】  環境景観に配慮した法面崩壊防止工の提案。【解決手段】    法面支圧板１、ロックボルトアンカー２、及びワイヤーロープ３、を用いて法面に圧縮負荷を発生せしめ、地表面の移動、転石の抜け落ち等を予防し、法面の崩壊を防止する。【選択図】  図１
2008106432.tif 000002
【特許請求の範囲】
【請求項１】
法面支圧板１、とその中心部に設置するロックボルトアンカー及びワイヤーロープからなる法面崩壊防止工法でロックボルトアンカーに取付けるワイヤーロープを地表面より３０〜５０センチメートル位深い位置に取付け、ワイヤーロープを緊張することにより法面支圧板１、を地山に押付け、法面支圧板１、及びワイヤーロープによる法面への圧縮負荷により法面の崩壊予防を主目的とした法面崩壊防止工法。
【発明の詳細な説明】
【技術分野】
【０００１】
土木工事の法面崩壊防止に使用する。
【背景技術】
【０００２】
法面崩壊防止の為に地表を草木又はコンクリートで覆い雨水の浸入、浸透を予防する方法からコンクリートの梁を斜面上に形成し、その重量の法面に対する圧縮負荷により法面崩壊予防をするもの又は、コンクリートの梁にロックボルトアンカーを施工し、コンクリート梁の重量による法面に対する圧縮負荷に加え、ロックボルトアンカーによるコンクリート梁の押し付け効果を加味したものまで色々な工法が採用されている。
【発明の開示】
【発明が解決しようとする課題】
【０００３】
コンクリート及びコンクリートの梁を使用する工法は樹木の伐採による景観の悪化、雨水の一極集中による二次災害の観点から自然環境に配慮した法面崩壊防止策が待望されている。
【課題を解決するための手段】
【０００４】
本案は法面の地山に法面支圧板１、の中心部へロックボルトアンカー２、を設置する。ロックボルトアンカー間にワイヤーロープを架設し、緊張する。設置されたロックボルトアンカー２、の地表面から３０〜５０センチメートルの位置にワイヤーロープを取り付け緊張することにより法面支圧板１、に地山への圧縮負荷が発生し、ワイヤーロープの緊張力と相まって法面崩壊防止の効果を発揮する。
【発明の効果】
【０００５】
施工にあたり周辺の樹木の伐採をすることなく、法面の掘削も軽微なため環境、景観に配慮した法面崩壊防止工となる。
【図面の簡単な説明】
【０００６】
【図１】本案の施工展開図
【図２】本案Ａ―――Ａ´の側面図
【図３】法面支圧板１、ロックボルトアンカー２、及びワイヤーロープ３、の架設状況平面図
【図４】法面支圧板１、ロックボルトアンカー２、及びワイヤーロープ３、の架設状況側面図
【符号の説明】
【０００７】
１、法面支圧板
２、ロックボルトアンカー
３、ワイヤーロープ
【図１】
2008106432.tif 000003
【図２】
2008106432.tif 000004
【図３】
2008106432.tif 000005
【図４】
2008106432.tif 000006